(57)【要約】【課題】靴の踵にヒール部品を簡単に取り付け、取り外しでき、上下に振動が加わったり、小石などがヒール部品から露出している掛止部材の端部に接触してもヒール部品が外れることがなく、状況に応じて異なるヒール部品を容易に交換できる靴を提供する。【解決手段】靴（１）の踵部分にヒール部品（２０）を脱着自在に装着できる靴であって、靴底の踵部分には、ヒール部品を装着するための筒状のジョイント部（１０）が下方に突設されており、該ジョイント部には、靴底と略平行に移動可能で、且つジョイント部の少なくとも一方側から突出するように付勢された掛止部材（ロックピン１２）が設けられ、ヒール部品は、その上部にジョイント部を受け入れるための凹陥部（２１）を有し、且つ掛止部材が挿通される穴部（２２）が凹陥部から外側に開口している。好ましくはさらに、ヒール部品の高さに応じて靴の甲を覆う部分の面積を調節することができる手段を有する。【選択図】図１
2015109921.tif 000002
【特許請求の範囲】
【請求項１】
靴の踵部分にヒール部品を脱着自在に装着できる靴（１）であって、
靴底（２）の踵部分には、ヒール部品（２０）を装着するための筒状のジョイント部（１０）が下方に突設されており、該ジョイント部（１０）には、靴底と略平行に移動可能で、且つジョイント部の少なくとも一方側から突出するように付勢された棒状掛止部材（１２，１２ａ）が設けられており、
前記ヒール部品（２０）は、その上部に前記ジョイント部（１０）を受け入れるための凹陥部（２１，２１ａ）を有し、且つ、前記棒状掛止部材（１２，１２ａ）が挿通される穴部（２２，２２ａ）が前記凹陥部から外側に開口している
ことを特徴とする靴。
【請求項２】
前記靴は、ヒール部品（２０）の高さに応じて、靴の甲を覆う部分の面積を調節することができる手段（６，７，３０，４０，４１ａ，４１ｂ，４２，４３ａ，４３ｂ，４４）を有することを特徴とする請求項１に記載の靴。
【請求項３】
前記ジョイント部（１０）の棒状掛止部材は、少なくともヒール部品（２０）の穴部（２２，２３）に接している部分が後側に向かって漸次小さくなるロックピン（１２）であって、ジョイント部の前後から突出するように配されていると共に、ジョイント部内に設けられた弾性部材（１５）によりつまみ部分（１３）を構成する一端部側から他端部側へ付勢されており、一方、前記ヒール部品（２０）の凹陥部（２１）の前後には、前記ロックピン（１２）の両端部がそれぞれ挿通される穴部（２２，２３）が形成されており、前記ロックピン（１２）の一端部が挿通される穴部（２２）の上にはスリット（２４）が形成されており、該スリット（２４）の幅は前記ロックピンの一端部の大きさよりも小さく、前記ロックピンの略中間部の大きさよりも若干大きく、且つ、前記ロックピン（１２）は、ロックピンの一端部を前方に引いた状態で、ロックピンの他端部がジョイント部の後から突出しないようにジョイント部内に引き込まれる長さを有すると共に、ジョイント部をヒール部品の凹陥部へ挿入した時、ロックピンが前記スリットを挿通するように構成されていることを特徴とする請求項１又は２に記載の靴。
【請求項４】
前記弾性部材（１５）の付勢力により前記ロックピン（１２）の周側面がヒール部品（２０）の穴部（２２，２３）の内周面に圧接された状態のとき、ロックピン（１２）の他端部（１４）の端面とヒール部品（２０）の穴部（２３）の底面との間に隙間があるように構成されていることを特徴とする請求項３に記載の靴。
【請求項５】
前記ジョイント部（１０）の棒状掛止部材は、ジョイント部内に設けられた弾性部材（１５ａ）により前方へ付勢され、一端部（１３ａ）がジョイント部の前方へ突出するように配されたロックピン（１２ａ）であり、一方、前記ヒール部品（２０）の凹陥部（２１ａ）の前側には、前記ロックピンの一端部が挿入される穴部（２２ａ）が形成されており、前記ロックピンの一端部をジョイント部内に押し込んだ状態でジョイント部をヒール部品の凹陥部へ挿入できるように構成されていることを特徴とする請求項１又は２に記載の靴。
【請求項６】
前記ロックピン（１２ａ）の一端部（１３ａ）は前側に向かって漸次小さくなるテーパ状に形成され、一方、前記ロックピンの一端部が挿入される前記ヒール部品（２０）の凹陥部（２１ａ）の前側の穴部（２２ａ）は、前記ロックピンの一端部に対応して前側に向かって漸次小さくなるテーパ状に形成され、前記弾性部材（１５ａ）の付勢力によりロックピン（１２ａ）の一端部（１３ａ）のテーパ状周側面がヒール部品（２０）の穴部（２２ａ）のテーパ状内周面に圧接された状態のとき、ロックピン（１２ａ）の一端部（１３ａ）の端面がヒール部品（２０）の穴部（２２ａ）から突出しないように構成されていることを特徴とする請求項５に記載の靴。
【請求項７】
前記ジョイント部（１０）は、下方に向かって漸次小さくなる逆円錐台状の外形を有し、前記ヒール部品（２０）の凹陥部（２１，２１ａ）は、前記ジョイント部の外形と対応する逆円錐台状に形成されており、ジョイント部（１０）をヒール部品（２０）の凹陥部（２１，２１ａ）に嵌挿したときに、ジョイント部（１０）の底面と凹陥部（２１，２１ａ）の底面との間に隙間が生じるように構成されていることを特徴とする請求項１乃至６のいずれか一項に記載の靴。
【請求項８】
高さの異なるヒール部品の交換に対応できるように、靴底のつま先部分が多少上向きに反っている形状を有するか、或いは、靴底のつま先部分とアーチ部分との境界領域が角度調節できる可撓性を有することを特徴とする請求項１乃至７のいずれか一項に記載の靴。
【請求項９】
前記靴の甲を覆う部分の面積を調節することができる手段として、靴の甲の履き口のスロート部（３，８）に、切り込み（６）を設けるか、又は、切り込み（６）を設けると共に、長さ調節をするための紐（７）又は長さ調節可能なアジャスタ（３０）を通すか、あるいは、靴のアッパー側部に一対の羽根部（４１ａ，４１ｂ）又はサイドカバー（４３ａ，４３ｂ）が設けられ、該羽根部又はサイドカバーの対向する自由端部は紐（４２）又は伸縮自在なテープ部材（４４）で結ばれることを特徴とする請求項２乃至８のいずれか一項に記載の靴。
【発明の詳細な説明】
【技術分野】
【０００１】
本発明は、靴の踵部分にヒール部品を脱着自在に装着できる靴に関し、さらに詳しくは、それぞれ高さの違うヒール部品を取り外し、交換でき、あるいはさらに、交換したヒール部品の高低差で生じる靴本体の違和感を解消することができる靴に関する。
【背景技術】
【０００２】
婦人が靴を履く場合、ヒールに高さがあると見た目は美しいが、足にとってその姿勢は苦痛であり、長時間履いていれば足への負担も大きくなる。一方、ヒールの低い靴であれば、長時間の使用でも足にとって負担は少なく、歩きやすい。人と会う時や衣装に応じてヒールの高さが必要であるが、帰路においてはヒールの高さは必要なく、歩きやすさが必要となる。
【０００３】
また、ヒールの使用回数を重ねると、ヒールの底の擦り減りや、歩き癖による斜めの擦り減りにより、歩きづらくなることは多くの女性が経験している。この解決策としては、現在、靴屋への修理の依頼や、処分などが殆どである。さらに、高いヒールの見た目の美しさから思わず買ってしまった場合、歩きづらさを考え敬遠してしまい、結局履く機会を失い、破棄してしまうことも少なくない。
【０００４】
そこで、特許文献１には、靴底の踵部分に高低の違うヒール部品を取り外し、交換できる靴が提案されている。この特許文献１に記載の靴の場合、靴底の踵部分に固定された非円形のヘッド部からピンが下方へ突設され、一方、ヒールの頂部には上記ヘッド部と同じ輪郭を有する空洞が設けられ、該空洞の基底部から下方には、上記ピンを受容する孔が延びており、その直径はピンの直径よりも僅かに大きい。上記ピンとヒールのラッチ機構としては、上記孔とほぼ平行に下方に延びている第２の孔内に圧縮ばねが押し込められ、直径がピンの外径よりもやや大きい開口を有しているラッチを、ヒール内に横方向に形成されたスロット内に、上記ラッチの開口をピンが挿通し、上記圧縮ばねによりラッチが上方に付勢されるように配されている。この場合、圧縮ばねがラッチを上方へ、即ちピンとの位置合わせ状態から外れるように変倚させることにより、ラッチの開口の周辺縁部がピンと噛み合い、ラッチの開口の周辺縁部とピンとの接触抵抗により、ヒールがピンから簡単に引き外れることがないように構成されている。
【先行技術文献】
【特許文献】
【０００５】
【特許文献１】特開平８−６６２０４号公報（図１〜３）
【発明の概要】
【発明が解決しようとする課題】
【０００６】
前記特許文献１に開示されている靴によれば、ヒールの取り付け、取り外しは簡易的に行うことができ、且つ、外部から見てヒール部品とジョイント部の繋ぎ目が目立たないという利点を有する。しかしながら、ラッチ機構は、ラッチの開口の周辺縁部とピンとの接触抵抗によるものであるため、走った時などのように上下に大きな振動が加わったり、小石などがヒールから露出しているラッチの端部に接触すると、ヒールがピンから引き外れ易いという問題がある。これを防止できるようにより大きな接触抵抗とするために、より大きなばね力の圧縮ばねを用いると、逆に、ヒールの交換時に、ヒールを取り外すことが困難になるという問題がある。また、前記特許文献１には、ヒールの高低差による履き口やソールの不具合を解決するための手段については、なんら開示されていない。
【０００７】
本発明は、前記したような従来のヒール交換可能な靴の問題点に鑑みなされたものであり、その基本的な目的は、靴の踵にヒール部品を簡単に取り付け、取り外しできるだけでなく、走った時などのように上下に大きな振動が加わったり、小石などがヒール部品から露出している棒状掛止部材の端部に接触しても容易にヒール部品が外れることがなく、且つ、外部から見てヒール部品とジョイント部の繋ぎ目が目立たず、状況に応じて異なるヒール部品を容易に交換できる靴を提供することにある。
さらに本発明の目的は、高さの違うヒール部品を簡便に交換できると共に、ヒールの高低差による履き口やソールの不具合を解消できる靴を提供することにある。
【課題を解決するための手段】
【０００８】
前記目的を達成するために、本発明によれば、
靴の踵部分にヒール部品を脱着自在に装着できる靴であって、
靴底の踵部分には、ヒール部品を装着するための筒状のジョイント部が下方に突設されており、該ジョイント部には、靴底と略平行に移動可能で、且つジョイント部の少なくとも一方側から突出するように付勢された棒状掛止部材が設けられており、
前記ヒール部品は、その上部に前記ジョイント部を受け入れるための凹陥部を有し、且つ、前記棒状掛止部材が挿通される穴部が前記凹陥部から外側に開口している
ことを特徴とする靴が提供される。
前記靴は、好ましくはさらに、ヒール部品の高さに応じて、靴の甲を覆う部分の面積を調節することができる手段を有する。
【０００９】
好適な態様においては、前記ジョイント部の棒状掛止部材は、少なくともヒール部品の穴部に接している部分が後側に向かって漸次小さくなるロックピンであって、ジョイント部の前後から突出するように配されていると共に、ジョイント部内に設けられた弾性部材によりつまみ部分を構成する一端部側から他端部側へ付勢されており、一方、前記ヒール部品の凹陥部の前後には、前記ロックピンの両端部がそれぞれ挿通される穴部が形成されており、前記ロックピンの一端部が挿通される穴部の上にはスリットが形成されており、該スリットの幅は前記ロックピンの一端部の大きさよりも小さく、前記ロックピンの略中間部の大きさよりも若干大きく、且つ、前記ロックピンは、ロックピンの一端部を前方に引いた状態で、ロックピンの他端部がジョイント部の後から突出しないようにジョイント部内に引き込まれる長さを有すると共に、ジョイント部をヒール部品の凹陥部へ挿入した時、ロックピンが前記スリットを挿通するように構成されている。より好ましくは、前記弾性部材の付勢力により前記ロックピンの周側面がヒール部品の穴部の内周面に圧接された状態のとき、ロックピンの他端部の端面とヒール部品の穴部の底面との間に隙間があるように構成されている。
尚、本明細書において、つま先側を前側又は前方、踵側を後側又は後方と表現する。
【００１０】
好適な別の態様によれば、前記ジョイント部の棒状掛止部材は、ジョイント部内に設けられた弾性部材により前方へ付勢され、一端部がジョイント部の前方へ突出するように配されたロックピンであり、一方、前記ヒール部品の凹陥部の前側には、前記ロックピンの一端部が挿入される穴部が形成されており、前記ロックピンの一端部をジョイント部内に押し込んだ状態でジョイント部をヒール部品の凹陥部へ挿入できるように構成されている。好ましくは、前記ロックピンの一端部は前側に向かって漸次小さくなるテーパ状に形成され、一方、前記ロックピンの一端部が挿入される前記ヒール部品の凹陥部の前側の穴部は、前記ロックピンの一端部に対応して前側に向かって漸次小さくなるテーパ状に形成され、前記弾性部材の付勢力によりロックピンの一端部のテーパ状周側面がヒール部品の穴部のテーパ状内周面に圧接された状態のとき、ロックピンの一端部の端面がヒール部品の穴部から突出しないように構成されている。
【００１１】
前記いずれの態様においても、好ましくは、前記ジョイント部は、下方に向かって漸次小さくなる逆円錐台状の外形を有し、前記ヒール部品の凹陥部は、前記ジョイント部の外形と対応する逆円錐台状に形成されており、ジョイント部をヒール部品の凹陥部に嵌挿したときに、ジョイント部の底面と凹陥部の底面との間に隙間が生じるように構成されている。さらに好ましくは、ヒール部品の上面と靴底面との間に隙間が生じるように構成されている。ジョイント部の底面が凹陥部の底面と接しないことにより、さらに好ましくは靴底面がヒール部品の上面に接しないことにより、ジョイント部はヒール部品の凹陥部とそれぞれ逆円錐状の側面にて圧接することができる。
【００１２】
さらに別の好適な態様においては、高さの異なるヒール部品の交換に対応できるように、靴底のつま先部分が多少上向きに反っている形状を有するか、あるいは、靴底のつま先部分とアーチ部分（土踏まず部分）との境界部が角度調節できる可撓性を有する。好ましくは、高いヒールに対応するため、アーチ部分（土踏まず部分）が硬く、アーチ形状に固定された形態にあり、また、低いヒールにも対応できるように、靴底のつま先部分とアーチ部分（土踏まず部分）との境界部が角度調節できる可撓性を有する。
より好適な態様によれば、前記靴の甲を覆う部分の面積を調節することができる手段として、靴の甲の履き口のスロート部に、長さ調節をするための手段、例えば切り込みを設けるか、又は、切り込みを設けると共に、長さ調節をするための紐又は長さ調節可能なアジャスタを通すか、あるいは、靴のアッパー側部に一対の羽根部又はサイドカバーが設けられ、該羽根部又はサイドカバーの対向する自由端部は紐又は伸縮自在なテープ部材で結ばれる。
【発明の効果】
【００１３】
本発明の靴においては、靴底の踵部分にヒール部品を装着するための筒状のジョイント部が下方に突設されており、該ジョイント部に、ラッチ機構として、靴底と略平行に移動可能で、且つ、ジョイント部の少なくとも一方側から突出するように付勢された棒状掛止部材が組み込まれているため、棒状掛止部材をその付勢力に抗するように操作することで、その上部に前記ジョイント部を受け入れるための凹陥部を有するヒール部品を簡単に取り付け、取り外しでき、且つ、外部から見てヒール部品とジョイント部の繋ぎ目が目立たず、状況に応じて異なるヒール部品を容易に交換できる。また、靴底の踵部分にヒール部品を一旦装着した時には、棒状掛止部材は靴底と略平行に移動可能であり、且つ、ジョイント部の少なくとも一方側から突出するように付勢されているため、走った時などのように上下に大きな振動が加わったり、小石などがヒール部品から露出している棒状掛止部材の端部に接触しても、容易にヒール部品が外れることがないという利点を有する。また、前記ロックピンの一端部をジョイント部内に押し込んだ状態でジョイント部をヒール部品の凹陥部へ挿入できるように構成されている態様においては、ジョイント部にヒール部品を装着した状態でロックピンの一端部がヒール部品から突出しないようにできるため、小石などがヒール部品に当ってもロックピンの一端部に接触することがないため、不慮の事態でヒール部品が外れることはないという利点を有する。
さらに、ヒール部品の高さに応じて、靴の甲を覆う部分の面積を調節することができる手段を有し、好ましくは、靴底のつま先部分が多少上向きに反っている形状を有するか、或いは、靴底のつま先部分とアーチ部分との境界部が角度調節できる可撓性を有するように構成することにより、さらに好ましくは、靴の甲の履き口のスロート部に、長さ調節をするための紐又は長さ調節可能なアジャスタなどを有することにより、高さの違うヒール部品を簡便に交換できると共に、ヒールの高低差による履き口やソールの不具合を解消できる。
このような効果により、ヒールの高さを外出先で容易に交換でき、周囲から見て他の一般的なヒールのある靴と同じであるならば、日常的に使用したいと思う女性は多いと考えられる。例えば、高・低のヒール部品が２個ある場合、ヒールの底の擦り減りは２倍長持ちすることになる。また、高いヒールを足が痛いまま履き続ける必要はなく、場に応じて交換することにより、快適に長時間過ごすことができる。
【図面の簡単な説明】
【００１４】
【図１】本発明の靴のジョイント部とヒール部品とのラッチ機構の第一実施例を示し、靴のジョイント部にヒール部品が装着される前の状態で示す部分側面図である。
【図２】図１に示す靴のジョイント部にヒール部品がジョイントされた状態で示す図１のＡ−Ａ線から見た部分断面斜視図である。
【図３】図１に示す靴のジョイント部にヒール部品がジョイントされた状態であり、ヒール部品のみを縦断面で示す部分断面側面図である。
【図４】図２を上部から見た、ロックピンの一端部（つまみ部分）を引き、ヒール部品に靴のジョイント部を挿入した状態の部分断面平面図である。
【図５】図２を上部から見た、ロックピンの一端部（つまみ部分）を離し、ロックピンがジョイント部へ移動して、靴のジョイント部にヒール部品がジョイントされた状態で示す部分断面平面図である。
【図６】本発明の靴のジョイント部とヒール部品とのラッチ機構の第二実施例を示し、靴のジョイント部にヒール部品が装着される前の状態で示す部分側面図である。
【図７】図６に示す靴のジョイント部にヒール部品がジョイントされた状態で示す図５のＢ−Ｂ線から見た部分断面斜視図である。
【図８】図６に示す靴のジョイント部にヒール部品がジョイントされた状態であり、ヒール部品のみを縦断面で示す部分断面側面図である。
【図９】図７を上部から見た、ジョイント部から突出しているロックピンの一端部をジョイント部内部へ押し込んで、ヒール部品に靴のジョイント部を挿入した状態の部分断面平面図である。
【図１０】図７を上部から見た、ロックピンの一端部がヒール部品の穴部内に突出し、靴のジョイント部にヒール部品がジョイントされた状態で示す部分断面平面図である。
【図１１】本発明の靴の甲を覆う部分の面積を調節できる実施例を示し、飾りカバー部材を取り付けた状態の斜視図である。
【図１２】図１１に示す靴の飾りカバー部材を外した状態の部分斜視図である。
【図１３】本発明の靴の甲を覆う部分の面積を調節できる他の実施例を示し、飾りカバー部材を外した状態で示す部分斜視図である。
【図１４】本発明の靴の長さ調節可能な履き口のスロート部の一例を示す部分斜視図である。
【図１５】本発明の靴の長さ調節可能な履き口のスロート部の他の例を示す部分斜視図である。
【図１６】本発明の靴の甲の履き口のスロート部の長さを調節する手段のさらに別の実施例を示す部分断面斜視図である。
【図１７】図１６に示す靴の甲の履き口のスロート部の長さを調節する手段を組み込んだ状態で示す部分斜視図である。
【図１８】本発明の靴の甲を覆う部分の面積を調節できるさらに他の実施例を示し、羽根部を外した状態で示す部分斜視図である。
【図１９】図１８に示す靴を羽根部の紐を締めた状態で示す部分斜視図である。
【図２０】本発明の靴の甲を覆う部分の面積を調節することができるさらに別の実施例を示す部分斜視図である。
【発明を実施するための形態】
【００１５】
前記したように、本発明の靴においては、靴底の踵部分にヒール部品を装着するための筒状のジョイント部が下方に突設されており、該ジョイント部に、ラッチ機構として、靴底と略平行に移動可能で、且つ、ジョイント部の少なくとも一方側から突出するように付勢された棒状掛止部材が組み込まれている。
ジョイント部は、ヒール部品を装着した時に、ヒール部品との密着性が高まるように、下方に向かって漸次小さくなる逆円錐台状の外形を有し、前記ヒール部品の凹陥部は、前記ジョイント部の外形と対応する逆円錐台状（ジョイント部の側面と同じ角度の逆円錐台状）に形成されていることが好ましい。逆円錐台状であれば、挿入するジョイント部の下部端面がヒール部品の凹陥部開口面より小さいためヒール部品に挿入し易く、側面が隙間無く合わさることで、密着性が高い状態で固定ができる。ジョイント部が円柱や直方体の場合、側面接合部に隙間やずれなく密着するようにすれば挿入し難く、逆に、挿入し易いよう側面の空間に余裕を持たせると密着性が低くなり、支えが不安定で外れ易くなるので好ましくない。また、角錐台であれば、密着性は高く挿入し易くなるが、ヒール部品を外す時に、密着したヒール部品を少しずつ横へ回しながら外す方法がとれなくなる。
【００１６】
ヒール部品装着時、ジョイント部の棒状掛止部材をその付勢力に抗するように操作することで、その上部に前記ジョイント部を受け入れるための凹陥部を有するヒール部品を簡単に取り付け、取り外しでき、且つ、外部から見てヒール部品とジョイント部の繋ぎ目が目立たず、状況に応じて異なるヒール部品を容易に交換できる。
【００１７】
例えば、第一の好適な態様においては、前記ジョイント部の棒状掛止部材は、少なくともヒール部品の穴部に接している部分が後側に向かって漸次小さくなるロックピンであって、ジョイント部の前後から突出するように配されていると共に、ジョイント部内に設けられた弾性部材によりつまみ部分を構成する一端部側から他端部側へ付勢されており、一方、前記ヒール部品の凹陥部の前後には、前記ロックピンの両端部がそれぞれ挿通される穴部が前後に形成されており、前記ロックピンの一端部が挿通される穴部の上にはスリットが形成されており、該スリットの幅は前記ロックピンの一端部の大きさよりも小さく、前記ロックピンの略中間部の大きさよりも若干大きく、且つ、前記ロックピンは、ロックピンの一端部を前方に引いた状態で、ロックピンの他端部がジョイント部の後から突出しないようにジョイント部内に引き込まれる長さを有すると共に、ジョイント部をヒール部品の凹陥部へ挿入した時、ロックピンが前記スリットを挿通するように構成されている。
【００１８】
従って、ロックピンの一端部（つまみ部分）を弾性部材の付勢力に抗するように前方に引いて他端部がジョイント部内部に引き込まれた状態でジョイント部をヒール部品の凹陥部に挿入すると、ロックピンが前記スリットを挿通できるので、ジョイント部をヒール部品の凹陥部にスムーズに挿入することができる。ジョイント部がヒール部品の凹陥部に完全に挿入されたときにロックピンのつまみ部分を離すと、弾性部材の付勢力によってロックピンは自然に元の位置に戻り、ロックピンの他端部は凹陥部の後側の穴部に挿入される。この状態では、凹陥部の前側の穴部に挿入されているロックピンのつまみ部分近傍部はスリットの幅よりも大きいため抜け出ることはなく、ロックピンはヒール部品の凹陥部の前後の穴部で支持され、ヒール部品の凹陥部内に固定された状態となり、ヒール部品は適切な位置となっている。ヒール部品を交換のため取り外す時には、再びロックピンのつまみ部分を弾性部材の付勢力に抗するように前方に引き、スリットから抜け出る位置にした状態で、ヒール部品を少しずつずらしながら（搖動させながら）取り外す。
【００１９】
好ましくは、前記弾性部材の付勢力により前記ロックピンの周側面がヒール部品の穴部の内周面に圧接された状態のとき、ロックピンの他端部の端面とヒール部品の穴部の底面との間に隙間があるように構成される。それによって、ばね部材の付勢力が働いている状態のまま維持され、その結果、ロックピンの周側面がヒール部品の穴部の内周面と接して圧がかかった状態で密着する。
【００２０】
また、第二の好適な態様によれば、前記ジョイント部の棒状掛止部材は、ジョイント部内に設けられた弾性部材により前方へ付勢され、一端部がジョイント部の前方へ突出するように配されたロックピンであり、一方、前記ヒール部品の凹陥部の前側には、前記ロックピンの一端部が挿入される穴部が形成されており、前記ロックピンの一端部をジョイント部内に押し込んだ状態でジョイント部をヒール部品の凹陥部へ挿入できるように構成されている。
【００２１】
従って、ロックピンの一端部を弾性部材の付勢力に抗するように押し込んで一端部の端面がジョイント部内に引っ込んだ状態では、ジョイント部をヒール部品の凹陥部にスムーズに挿入することができる。ジョイント部がヒール部品の凹陥部に完全に挿入されると、弾性部材の付勢力によってロックピンの一端部は凹陥部の前側の穴部に挿入される。この状態では、ロックピンの一端部はヒール部品の凹陥部の前側の穴部に押し込まれ、支持されるので、ロックピンはヒール部品の凹陥部から抜け出ることはなく、ヒール部品の凹陥部内に固定された状態となり、ヒール部品は適切な位置となっている。ヒール部品を交換のため取り外す時には、再びロックピンの一端部を弾性部材の付勢力に抗するように押し込んで一端部の端面がジョイント部内に引っ込んだ状態で、ヒール部品を少しずつずらしながら（搖動させながら）取り外す。
【００２２】
好ましくは、前記ロックピンの一端部は前側に向かって漸次小さくなるテーパ状に形成され、一方、前記ロックピンの一端部が挿入される前記ヒール部品の凹陥部の前側の穴部は、前記ロックピンの一端部に対応して前側に向かって漸次小さくなるテーパ状に形成され、前記弾性部材の付勢力によりロックピンの一端部のテーパ状周側面がヒール部品の穴部のテーパ状内周面に圧接された状態のとき、ロックピンの一端部の端面がヒール部品の穴部から突出しないように構成されている。それによって、ばね部材の付勢力が働いている状態のまま維持され、その結果、ロックピンのテーパ状部の周側面がヒール部品の穴部の同様にテーパ状内周面に接して圧がかかった状態で密着する。
【００２３】
前記いずれの態様においても、好ましくは、前記ジョイント部は、下方に向かって漸次小さくなる逆円錐台状の外形を有し、前記ヒール部品の凹陥部は、前記ジョイント部の外形と対応する逆円錐台状に形成されており、ジョイント部をヒール部品の凹陥部に嵌挿したときに、ジョイント部の底面と凹陥部の底面との間に、好ましくはさらにヒール部品の上面と靴底面との間に、隙間が生じるように構成されている。このジョイント機構の特徴は、ジョイント部とそれを収容するヒール部品の凹陥部の円錐台状の周側面の密着固定にあり、平らな面（底面）での密着は必要でなく、平らな面（底面）が接しないことで側面の密着性がより高まる。また、前記弾性部材としては、コイルばね、板ばね等のばね部材を好適に用いることができる。
【００２４】
ヒール部品の凹陥部へのジョイント部の挿入が浅いときには、ジョイント部外側面とヒール部品の凹陥部内側面の密着性は弱いが、ロックピンの弾性部材による付勢力でロックピンの細い端部がヒール部品の凹陥部の穴に押し込まれ、靴を履いた時の足の重さによる上面からの圧力と相俟って、より密着性の高い位置に自然に固定される。より密着性を高めるため、第一の態様の場合にはロックピンのつまみ部分を引いたりせず、第二の態様の場合にはロックピンの一端部を押し込んだりしていないときでも、ロックピンの弾性部材の付勢力によりジョイント部に圧が加わっている状態にあるように構成することが好ましい。また、ロックピンの細い端部の太さと、これが収容されるヒール部品の穴の径を、ジョイント時、ジョイント部外側面とそれを収容するヒール部品の凹陥部、ロックピン周側面とそれを収容するヒール部品の穴の密着性の高まった位置にあるときでも、弾性部材の付勢力によりロックピンの細い端部をヒール部品の穴に押し込む方向の圧がかかっている状態が維持できるようなサイズにすることが好ましい。
【００２５】
第一の態様の場合には、ロックピンのつまみ部分を引き、ロックピンの細い端部がジョイント部内部へ引き込まれた状態では、ジョイント時にロックピンのつまみ部分を収容しているヒール部品の穴に位置するロックピンの太さと、この部分を収納する穴の大きさに差違があることで、ロックピンと穴との間に僅かな隙間ができるので、この隙間を利用して、ヒール部品を少しずつ横へ回動させながら外す方法もとれる。先に説明したように、ジョイント部とそれを収容するヒール部品の凹陥部が角錐台状の場合には、ヒール部品を回動しながら外す方法ができない。密着度が高いほどジョイント部とヒール部品の結合は外し難くなる。
【００２６】
ジョイント部とヒール部品、ロックピンの材料としては、例えば硬質ゴム、プラスチック、アルミ合金等の軽金属などを用いることができるが、同じ素材のものが好ましく、できれば軽量であり、環境に左右されず、形の変化がなく、錆びない安価なものが望ましい。
靴のソールは、高いヒール部品に付け替えた場合でも、足のアーチ部分から踵まで支えられるように、靴底のつま先部分は、多少撓んで上向きに反っている形状をしていることが望ましい。また、靴底のアーチ部分から踵まではその形状を保持できる十分な硬さを有することが望ましいが、他の部分は、高いヒール部品を低いヒール部品に付け替えたときに、足の重さで撓んで足の形を保持できるような程度の硬さとすることが好ましい。或いは、靴底のつま先部分とアーチ部分（土踏まず部分）との境界部が角度調節できる可撓性を有する構造にすることで、靴底のつま先部分とアーチ部分から踵までが同じ硬い素材であっても足に沿うことができる。
【００２７】
ヒールの長さによって指の付け根から足のアーチ部分の角度が違い、それによって足を覆っている革や布の甲部の面積も違ってくる。この解決策としては、靴の甲を覆う部分の面積を調節することができる手段を設けることが挙げられる。例えば、靴の甲の部分のみ放射線状に切れ目を入れたような形状とし、履いた足に沿わせた際に少し折り重なるような状態、もしくは切れ目を入れずに折りひだのような状態とすることができる。扇状の先の辺や内側の一部などに、紐のような扇状やひだを締めたり緩めたり調節できるものを通し、紐などを締めたり緩めたりすることでその時の甲を覆う部分の面積を調節でき、クリップやアジャスタなどで固定することもできる。クリップや、余った紐などがあったり、放射線状の切れ目は、見た目が悪いため、ボンボンやリボン、あるいは甲を覆い被せるもの（ベルトなどのデザインのもの）を設けたり、長さを調節できるアジャスタのようなものを設けることで解決することもできる。また、履き口のスロート部から甲を覆うようにベロ（もしくはタン）を設け、その両側のアッパー側部に、一対の羽根部を設け、羽根部の自由端にそれぞれ付けられている紐を結ぶように構成することもできる。あるいは、靴のつま先部をセンターラインに沿ってカットし、その両側部に一対のサイドカバーを設け、該サイドカバーの対向する自由端部を広幅の伸縮自在なゴムテープや、ゴム紐を編み込んだり縫い付けたりしたギャザー状のシャーリングなどで結合するような構成としてもよい。
【実施例】
【００２８】
以下、添付図面に示す実施例を説明しながら、本発明の靴についてより具体的に説明する。
図１は、本発明の靴のジョイント部とヒール部品とのラッチ機構の第一実施例を示し、靴１のジョイント部１０にヒール部品２０が装着される前の状態で示す部分側面図であり、図２は、図１に示す靴１のジョイント部１０にヒール部品２０がジョイントされた状態で示す図１のＡ−Ａ線から見た部分断面斜視図であり、図３は図１に示す靴のジョイント部にヒール部品がジョイントされた状態であり、ヒール部品のみを縦断面で示す部分断面側面図である。
【００２９】
図１に示すように、靴底２の踵部分には、ヒール部品２０を装着するための筒状のジョイント部１０が下方に突設されている。ジョイント部１０は、下方に向かって漸次小さくなる逆円錐台状の外形を有すると共に、前後の壁部１０ａ，１０ｂの内面は肉厚で平行な平坦面に形成されている。該ジョイント部１０には、前後の壁部１０ａ，１０ｂに形成された穴１１ａ，１１ｂを挿通する棒状掛止部材としてのロックピン１２が、靴底２と略平行に移動可能に設けられている。ロックピン１２は、つまみ部分を構成する一端部１３から他端部１４へかけて漸次小さくなっているテーパ状周側面を有し、ジョイント部１０の前後から突出するように配されていると共に、ジョイント部１０内のロックピン１２の部分の周囲には弾性部材としてのばね部材（コイルばね）１５が配されている。ばね部材１５の一端部は、ロックピン１２に固定されたストッパ部材１６に当接し、他端部はジョイント部１０の前側壁部１０ａの内面に当接し、それによって、ロックピン１２は、ばね部材１５により後方へ（一端部（つまみ部分）側から他端部側へ）付勢されている。尚、ジョイント部１０の靴底２への取り付けは、ジョイント部１０の上端に薄板状基部（図示せず）を設けてアウターソールとインナーソールの間に挟持されるように鋲止め、接着剤による接合などによって固定したり、ジョイント部１０の上部周囲に雄ねじ部を設けてアウターソールとインナーソールの間に挟持される基板部の雌ねじに螺合するなど、種々の方法を採用できる。
【００３０】
一方、ヒール部品２０は、図１及び図３に示すように、その上部に前記ジョイント部１０を受け入れるための凹陥部２１を有する。凹陥部２１は、前記ジョイント部１０の外形と対応する逆円錐台状に形成されており、その深さは、靴底２に突設されているジョイント部１０の高さ以上に設定されるが、好ましくは図３に示すようにジョイント部１０の高さよりも若干深く形成される。また、ヒール部品２０の凹陥部２１の前後には、前記ロックピン１２の両端部１３，１４がそれぞれ挿通される穴部２２，２３が形成されており、前記ロックピン１２の一端部１３が挿通される穴部２２の上にはスリット２４が形成されている。穴部２２，２３は、それぞれ前側から後側に向かって漸次小さくなっているテーパ状内周面を有する。スリット２４の幅は前記ロックピン１２の一端部１３の大きさよりも小さく、ロックピン１２の略中間部の大きさよりも若干大きくなっている。一方、ロックピン１２は、ロックピンの一端部１３を前方に引いた状態で、ロックピンの他端部１４がジョイント部１０の後から突出しないようにジョイント部内に引き込まれる長さを有すると共に、ジョイント部１０をヒール部品２０の凹陥部２１へ挿入した時、ロックピン１２が前記スリット２４を挿通できるような太さを有するように構成されている。また、前記ばね部材１５の付勢力により前記ロックピン１２の周側面がヒール部品２０の穴部２２，２３の内周面に圧接された状態のとき、ロックピン１２の他端部１４の端面とヒール部品２０の穴部２３の底面との間に隙間があるように構成されている。
【００３１】
次に、ジョイント部１０へのヒール部品２０の装着について、図４及び図５を参照して説明する。図４は、ロックピン１２の一端部（つまみ部分）１３を引き、ヒール部品２０に靴１のジョイント部１０を挿入した状態を示しており、図５は、ロックピン１２の一端部（つまみ部分）１３を離し、ロックピン１２がジョイント部１０へ移動して、靴１のジョイント部１０にヒール部品２０がジョイントされた状態を示している。
【００３２】
まず、図４に示すように、ジョイント部１０から前方へ突出しているロックピン１２の一端部（つまみ部分）１３をばね部材１５の付勢力に抗するように前方に引くと、ストッパ部材１６が矢印方向にばね部材１５を圧縮し、ロックピン１２の他端部１４がジョイント部１０内部に引き込まれ、ジョイント部１０の外にはみ出ていない状態となる。この状態で、ジョイント部１０をヒール部品２０の凹陥部２１に挿入すると、ロックピン１２が前記スリット２４を挿通できるので、ジョイント部１０をヒール部品２０の凹陥部２１にスムーズに挿入することができる。ジョイント部１０がヒール部品２０の凹陥部２１に完全に挿入されたときにロックピン１２のつまみ部分１３を離すと、図３及び図５に示すように、ばね部材１５の付勢力によってロックピン１２は自然に元の位置に戻り、ロックピン１２の他端部１４は凹陥部２１の後側の穴部２３に挿入される。この状態では、凹陥部２１の前側の穴部２２に挿入されているロックピン１２のつまみ部分近傍部はスリット２４の幅よりも大きいため抜け出ることはなく、ロックピン１２はヒール部品２０の凹陥部２１の前後の穴部２２，２３で支持されると共に、ジョイント部１０の逆円錐台状の外周側はヒール部品２０の逆円錐台状の凹陥部２１の内周側により支持され、ヒール部品２０の凹陥部２１内に固定された状態となり、ヒール部品２０は適切な位置となっている。ヒール部品２０を交換のため取り外す時には、再びロックピン１２のつまみ部分１３をばね部材１５の付勢力に抗するように前方に引き、スリット２４から抜け出る位置にした状態で、ヒール部品２０を少しずつずらしながら（搖動させながら）取り外す。
【００３３】
図３〜図５に示すように、ロックピン１２は、断面円形でつまみ部分を構成する一端部１３から他端部１４へかけて漸次小さくなっており、全体的にテーパ状に形成されているが、ジョイントし密着・固定された状態で、ヒール部品２０の穴部２２，２３に接しているロックピン１２の箇所だけテーパ状で、ジョイント部内部に位置する他の箇所は円柱などまっすぐな形状であってもよい。また、ばね部材１５を抑えるストッパ部材１６は、図３及び図５に示すようにジョイントし密着・固定された状態で、ジョイント部１０の後側の壁部１０ｂの内面に触れていない位置関係でロックピン１２に固定され、ロックピン１２の他端部１４の端面とヒール部品２０の穴部２３の底面との間に隙間があることが好ましい。それによって、ばね部材１５の付勢力が働いている状態のまま維持される。その結果、ロックピン１２のテーパ状周側面がヒール部品２０の穴部２２，２３の同様にテーパ状内周面と接して圧がかかった状態で密着する。また、逆円錐台状のジョイント部１０の外周面も、上方から足により体重がかかることによって、その圧力により、同様に逆円錐台状のヒール部品２０の凹陥部２１の内周面に圧がかかった状態で密着する。このようにして、ジョイント部１０の外周面とそれを収容するヒール部品２０の凹陥部２１の内周面が密着すると共に、ロックピン１２のテーパ状周側面がヒール部品２０の穴部２２，２３の同様にテーパ状内周面と密着した状態で固定される。従って、走った時などのように上下に大きな振動が加わっても、ヒール部品２０が外れることがない。また、小石などがヒール部品２０から突出しているロックピン１２の一端部に接触しても、ロックピン１２はばね部材１５によってジョイント部１０に向かって付勢された状態のまま維持されているので、ヒール部品２０が外れることがない。
【００３４】
また、図３に示すように、ヒール部品２０の凹陥部２１の前後に設けられた穴部２２，２３は、ジョイント部１０の外周面とヒール部品２０の凹陥部２１の内周面が密着性の高い位置に達した時にロックピン１２が挿通する位置にあり、ちょうど同じ大きさの穴ではなく、少し細くし、また前方から後方へかけて漸次小さくテーパ状にすることで、ジョイント時、ジョイント部１０の外周面とそれを収容するヒール部品２０の凹陥部２１の内周面、ロックピン１２のテーパ状周側面とヒール部品２０の穴部２２，２３のテーパ状内周面の密着性の高まった位置にあるときでも、其々の圧がかかる方向にある平らな面同士（ジョイント部１０の底面と凹陥部２１の底面、ロックピン１２の他端部端面と穴部２３の底面）が接しないことで、常に圧がかかった状態で接触面の密着性がより高まる。また、ロックピン１２の他端部１４の端面がヒール部品２０の穴部２３と触れず微小の空間があり、また、ヒール部品２０の凹陥部２１の深さはジョイント部１０の高さよりも若干深く形成されてジョイント部１０の下に微小の空間があり、さらに好ましくは、ジョイント部１０の上部がヒール部品２０の凹陥部２１に完全に入り込まず、靴底２とヒール部品２０の上面との間に微小の隙間があることで靴底２にヒール部品２０が触れず、ジョイント部１０とロックピン１２の周側面が、常に圧がかかった状態で、より密着してヒール部品２０の凹陥部２１及び穴部２２，２３とそれぞれ結合できる。
【００３５】
図６は本発明の靴のジョイント部とヒール部品とのラッチ機構の第二実施例を示し、靴のジョイント部にヒール部品が装着される前の状態で示す部分側面図であり、図７は図６に示す靴のジョイント部にヒール部品がジョイントされた状態で示す図６のＢ−Ｂ線から見た部分断面斜視図であり、図８は図６に示す靴のジョイント部にヒール部品がジョイントされた状態であり、ヒール部品のみを縦断面で示す部分断面側面図である。
【００３６】
図６に示すように、靴底２の踵部分には、ヒール部品２０を装着するための筒状のジョイント部１０が下方に突設されている。前記第一実施例と同様に、ジョイント部１０は、下方に向かって漸次小さくなる逆円錐台状の外形を有すると共に、前後の壁部１０ａ，１０ｂの内面は肉厚で平行な平坦面に形成されているが、前記第一実施例とは異なり、略中央に中間壁１０ｃが形成され、前後２つの空間に仕切られている。該ジョイント部１０には、前側の壁部１０ａに形成された穴１１ａと中間壁１０ｃに形成された穴１１ｃを挿通する棒状掛止部材としてのロックピン１２ａが、靴底２と略平行に移動可能に、且つ、一端部がジョイント部１０の前方へ突出するように設けられている。ロックピン１２ａは、中間壁１０ｃの穴１１ｃを挿通する円柱状部分１４ａと、その前端から前側に向かって漸次小さくなるテーパ状部１３ａとからなり、前側の壁部１０ａと中間壁１０ｃとで囲まれる空間内に位置する円柱状部分１４ａの前端部には第一ストッパ部材１６ａが、中間壁１０ｃと後側の壁部１０ｂとで囲まれる空間内に位置する後端部には第二ストッパ部材１６ｂが、それぞれネジ止め等により固定されている。ロックピン１２ａの長さは、テーパ状部１３ａの前端を押して前側の壁部１０ａの穴１１ａ内に位置するようにしたときに、第二ストッパ部材１６ｂが後側の壁部１０ｂに当接しないような長さに設定されているが（図９参照）、第二ストッパ部材１６ｂがかすかに接触するような長さであってもよい。ジョイント部１０内の第一ストッパ部材１６ａと中間壁１０ｃとの間のロックピン１２ａの部分の周囲には弾性部材としてのばね部材（コイルばね）１５ａが配されている。ばね部材１５ａの一端部は、ロックピン１２ａに固定された第一ストッパ部材１６ａに当接し、他端部はジョイント部１０ａの中間壁１０ｃの前側内面に当接し、それによって、ロックピン１２ａは、ばね部材１５ａにより前方へ付勢されている。
【００３７】
一方、ヒール部品２０は、図６及び図８に示すように、その上部に前記ジョイント部１０を受け入れるための凹陥部２１ａを有する。凹陥部２１ａは、前記ジョイント部１０の外形と対応する逆円錐台状に形成されており、その深さは、靴底２に突設されているジョイント部１０の高さ以上に設定されるが、好ましくは図８に示すようにジョイント部１０の高さよりも若干深く形成される。また、ヒール部品２０の凹陥部２１ａの前側には、前記ロックピン１２ａのテーパ状部１３ａが挿通される穴部２２ａが形成されている。穴部２２ａは、前記ロックピン１２ａのテーパ状部１３ａに対応して前側に向かって漸次小さくなるテーパ状に形成されている。
【００３８】
次に、ジョイント部１０へのヒール部品２０の装着について、図９及び図１０を参照して説明する。図９は、ジョイント部１０から突出しているロックピン１２ａのテーパ状部１３ａをジョイント部１０内部へ押し込んで、ヒール部品２０に靴１のジョイント部１０を挿入した状態を示しており、図１０は、ロックピン１２ａのテーパ状部１３ａがヒール部品２０の穴部２２ａ内に突出し、靴１のジョイント部１０にヒール部品２０がジョイントされた状態を示している。
【００３９】
まず、図９に示すように、ジョイント部１０から前方へ突出しているロックピン１２ａのテーパ状部１３ａをばね部材１５ａの付勢力に抗するように押すと、第一ストッパ部材１６ａが矢印方向にばね部材１５ａを圧縮する。テーパ状部１３ａの前端がジョイント部１０の前側の壁部１０ａ内に位置し、ジョイント部１０の外にはみ出ていない状態で、ジョイント部１０をヒール部品２０の凹陥部２１ａに挿入する。ジョイント部１０がヒール部品２０の凹陥部２１ａに完全に挿入されると、図８及び図１０に示すように、ばね部材１５ａの付勢力によってロックピン１２ａのテーパ状部１３ａは凹陥部２１ａの前側の穴部２２ａに挿入される。この状態では、ロックピン１２ａのテーパ状部１３ａがヒール部品２０の凹陥部２１ａの前側の穴部２２ａで支持されると共に、ジョイント部１０の逆円錐台状の外周側はヒール部品２０の逆円錐台状の凹陥部２１ａの内周側により支持され、ヒール部品２０の凹陥部２１ａ内に固定された状態となり、ヒール部品２０は適切な位置となっている。ヒール部品２０を交換のため取り外す時には、再びロックピン１２ａのテーパ状部１３ａ先端をばね部材１５の付勢力に抗するようにピンや指等で押し、テーパ状部１３ａの前端がジョイント部１０の前側の壁部１０ａ内に位置するようにした状態で、ヒール部品２０を少しずつずらしながら（搖動させながら）取り外す。
【００４０】
尚、図７に二点鎖線で示すように、例えば、ゴムフィルムなどの伸縮自在なフィルム２５を、前記ヒール部品２０の前側側面に、ヒール部品２０の前側の穴部２２ａを覆うように貼付することもできる。あるいは、フィルム２５をヒール部品２０の前側側面全体に貼付してもよく、又は、ヒール部品２０の前側側面に張合せ材を用いてヒール部品本体に張り合わせる際に、穴部２２ａを覆うように上記フィルムを介在させ、張合せ材とヒール部品本体との間に挟む構成とすることもできる。これによって、ヒール部品２０の前側の穴部２２ａに埃等が付着するのを防止することができ、ロックピン１２ａのテーパ状部１３ａの滑らかな動きを確保することができる。また、ヒール部品２０を取り外す際に、フィルム２５の上からロックピン１２ａのテーパ状部１３ａ先端を指で押したときに、フィルム２５が介在することによって、ヒール部品２０の穴部２２ａとロックピン１２ａのテーパ状部１３ａとの隙間に指が挟まるのを防止することができる。
【００４１】
図１０に示すように、ばね部材１５ａを抑える第一ストッパ部材１６ａは、図８及び図１０に示すようにジョイントし密着・固定された状態で、ジョイント部１０の前側の壁部１０ａの内面に触れていない位置関係でロックピン１２ａに固定され、ロックピン１２ａのテーパ状部１３ａの端面がヒール部品２０の穴部２２ａから突出しないように構成されていることが好ましい。それによって、ばね部材１５ａの付勢力が働いている状態のまま維持される。その結果、ロックピン１２ａのテーパ状部１３ａの周側面がヒール部品２０の穴部２２ａの同様にテーパ状内周面に圧がかかった状態で密着する。また、逆円錐台状のジョイント部１０の外周面も、上方から足により体重がかかることによって、その圧力により、同様に逆円錐台状のヒール部品２０の凹陥部２１ａの内周面に圧がかかった状態で密着する。このようにして、ジョイント部１０の外周面とそれを収容するヒール部品２０の凹陥部２１ａの内周面が密着すると共に、ロックピン１２ａのテーパ状部１３ａの周側面がヒール部品２０の穴部２２ａの同様にテーパ状内周面と密着した状態で固定される。従って、走った時などのように上下に大きな振動が加わっても、ヒール部品２０が外れることがない。また、ロックピン１２ａはヒール部品２０の前側表面（穴部２２ａ）から突出していないので、小石などがヒール部品２０に当たってもロックピン１２ａの一端部に接触することはなく、ヒール部品２０が外れることがない。尚、この第二実施例では、ヒール部品２０を固定するものはジョイント部１０とロックピン１２ａのテーパ状部１３ａのみであるため、ジョイント部とロックピンの両端部で固定する前記第一実施例と比べると固定の強度は若干劣る。
【００４２】
また、図８に示すように、ヒール部品２０の凹陥部２１ａの前後に設けられた穴部２２ａは、ジョイント部１０の外周面とヒール部品２０の凹陥部２１ａの内周面が密着性の高い位置に達した時にロックピン１２ａが挿通する位置にあり、ちょうど同じ大きさの穴ではなく、少し細くし、また前方から後方へかけて漸次小さくテーパ状にすることで、ジョイント時、ジョイント部１０の外周面とそれを収容するヒール部品２０の凹陥部２１ａの内周面、ロックピン１２ａのテーパ状周側面とヒール部品２０の穴部２２ａのテーパ状内周面の密着性の高まった位置にあるときでも、体重の圧がかかる方向にある平らな面同士（ジョイント部１０の底面と凹陥部２１ａの底面）が接しないことで、接触面の密着性がより高まる。また、ヒール部品２０の凹陥部２１ａの深さはジョイント部１０の高さよりも若干深く形成されてジョイント部１０の下に微小の空間があり、さらに好ましくは、ジョイント部１０の上部がヒール部品２０の凹陥部２１ａに完全に入り込まず、靴底２とヒール部品２０の上面との間に微小の隙間があることで靴底２にヒール部品２０が触れず、ジョイント部１０とロックピン１２ａの周側面がより密着してヒール部品２０と結合できる。
【００４３】
靴１のソールは、足裏のアーチ部分から踵まで支えることができるように、好ましくはソールの接地地点から踵までのソール部分を硬い素材で作製するか、もしくは全体が可撓性のソールに硬い素材を例えば層状に挿入するような構造とし、つま先部分のソールは多少上向きに反っている形状をしていることが好ましく、あるいは、ソールの接地地点の角度（つま先部分と足裏のアーチ部分との境界領域の角度）が調節できる構造になっていることが好ましい。高さの高いヒール部品２０を取り付けているときは、ソールの接地地点の角度（傾斜）が急であるため、足裏のアーチ部分から踵までは硬いソール部分に支えられ、つま先部分が多少上向きに反っている形状のため、高いヒールでも足裏に沿って支えられ、歩行時の蹴りだす動作も円滑に行える。一方、高さの低いヒール部品２０を取り付けているときは、ソールの接地地点の角度（傾斜）が緩やかであるため、足裏のアーチ部分から踵を支える必要はない。つま先部分が多少上向きの形状ではあるが、履いた時、足の重さで緩やかな傾斜のソールとなり、足裏に沿うことができる。あるいは、つま先部分と足裏のアーチ部分との角度のある境界領域を角度調節できる構造にすることで、つま先部分と足裏のアーチ部分から踵までが同じ硬い素材であっても足に沿うことができる。
【００４４】
高いヒールでソールの接地地点の角度（傾斜）が急であれば、角度のついた足指の付け根あたりを覆っている部分は面積が小さく、一方、低いヒールでソールの接地地点の角度（傾斜）が緩やかであれば、角度がそれほどない分、足指の付け根あたりを覆っている部分は面積が大きいことが必要である。そのため、高さの違うヒール部品を簡便に交換できるだけでなく、ヒールの高低差による履き口やソールの不具合を解消できることが望まれる。以下に、本発明に係る靴の甲の履き口を調節できる幾つかの実施例を、図面を参照しながら説明する。
【００４５】
図１１は、本発明の靴の甲を覆う部分の面積を調節できる一実施例を示し、飾りカバー部材を取り付けた状態を示し、図１２は飾りカバー部材を外した状態を示している。
図１２に示すように、靴１の履き口のスロート部３には、放射状に切り込み６が入れられており、靴１の甲を覆う部分の一方側には、飾りカバー部材４ａが取り付けられ、他方側にはカバー部材４ｂが取り付けられている。飾りカバー部材４ａの自由端部の内側には面ファスナー５が設けられており、靴１の甲を覆う部分の他方側に設けられているカバー部材４ｂの表面にも面ファスナー（図示せず）が設けられている。靴１の甲を覆うようにカバー部材４ｂの上に飾りカバー部材４ａを重ね、カバー部材４ｂの表面の面ファスナー（図示せず）に飾りカバー部材４ａの自由端部の内側の面ファスナー５を係合させることにより、締め付けることができる。ヒール部品の高低によって、前記ソールの接地地点の角度も異なり、スロート部３の切り込み６が開いたり、ひだ状に縮まったりすることによって、甲の履き口の長さ、従って足指の付け根あたりを覆っている部分の面積が変わってくるが、スロート部３を覆い隠す飾りカバー部材４ａとカバー部材４ｂの面ファスナー５の係合位置を調節することにより対応できる。尚、飾りカバー部材４ａとカバー部材４ｂは、スロート部３の切り込み６を覆い隠す部材であり、切り込みが装飾的に捉えられる場合もあり、なくても構わない。
【００４６】
図１３は、本発明の靴の甲を覆う部分の面積を調節できる他の実施例を、飾りカバー部材を外した状態で示している。
この実施例の場合、スロート部３に紐７が通されている点で前記図１１及び図１２に示す実施例とは異なるが、他の構成は同じである。紐７の一端部は、靴１に固定されている。この実施例においては、紐７を締め付けることによって、甲の履き口の長さをさらに短く調節できる。尚、締め付けた紐７の余っている他端部は、見た目が悪いため、クリップで留めたり、ボンボンやリボンなどで留めることができる。
【００４７】
図１４は、本発明の靴の長さ調節可能な履き口のスロート部の一例を示し、図１５は、長さ調節可能な履き口のスロート部の他の例を示している。
図１４に示す実施例の場合、折り畳まれたスロート部８を有し、このスロート部８には、略三角形状の切欠き９が形成されていると共に、前記図１３に示す実施例と同様に紐７が通されている。スロート部８に略三角形状の切欠き９が形成されているために、紐７による締め付け具合をさらに大きくすることができ、甲を覆っている部分が折り重なったり（縮まったり）、開いたりし、面積を調節できる。一方、図１５に示す実施例の場合、スロート部８の略三角形状の切欠き９の間に微小な切り込み９ａが入れられ、この切り込み９ａに紐７を通すことによって、装飾性がさらに向上している点において、前記図１４に示す実施例とは異なる
【００４８】
図１６及び図１７は、本発明の靴の甲の履き口のスロート部の長さを調節する手段のさらに別の実施例を示し、前記紐７に代えて用いられる長さ調節用アジャスタを示している。
図１６に示すように、アジャスタ３０は、合成樹脂などの可撓性材料から作製された一対の中空パイプ３１ａ，３１ｂからなり、一方の中空パイプ３１ａの一端部には、一側部に軸線方向に複数の孔３２ａが形成されている。他方の中空パイプ３１ｂは、上記一方の中空パイプ３１ａに出し入れ自在に嵌挿される直径を有し、その一端部には、略コ字状の板ばね３３が挿入されている。板ばね３３は、金属、合成樹脂等から作製されており、一端部に突起部３４を有し、この突起部３４は板ばね３３の弾性力により半径方向に付勢されており、他方の中空パイプ３１ｂの一端部に形成された孔３２ｂから中空パイプ３１ｂの外側に突出している。図１７に示すように、中空パイプ３１ｂの外側に突出している突起部３４を押して、一方の中空パイプ３１ａの一端部に他方の中空パイプ３１ｂの一端部を挿入すると、中空パイプ３１ｂの外側に付勢されている突起部３４が一方の中空パイプ３１ａの孔３２ａに挿入されることにより、一方の中空パイプ３１ａと他方の中空パイプ３１ｂを接続することができる。中空パイプ３１ｂの外側に突出している突起部３４を押して一方の中空パイプ３１ａにさらに挿入することにより、突起部３４が挿入される一方の中空パイプ３１ａの孔３２ａの位置を変えることができ、挿入・接続位置を調整することができる。
【００４９】
図１８及び図１９は、本発明の靴の甲を覆う部分の面積を調節する手段のさらに別の実施例を示している。
この実施例の場合、図１８に示すように、靴のつま先部が比較的幅狭に形成され、履き口のスロート部３ａから甲を覆うようにベロ（もしくはタン）４０が設けられている。また、ベロ４０の両側のアッパー側部には、一対の羽根部４１ａ，４１ｂが設けられており、羽根部４１ａ，４１ｂの自由端にはそれぞれ紐４２が付けられている。この実施例の場合、図１９に示すように、ベロ４０を両側から覆うように羽根部４１ａ，４１ｂをかぶせ、紐４２を結ぶことにより固定するが、取り付けるヒール部品の高さによって足の甲の角度が異なっても、紐４２を結ぶ結束力によって調節することができる。
【００５０】
図２０は、本発明の靴の甲を覆う部分の面積を調節する手段のさらに別の実施例を示している。
この実施例の場合、図２０に示すように、靴のつま先部はセンターラインに沿ってカットされ、両側部に模様状の一対のサイドカバー４３ａ，４３ｂが設けられており、該サイドカバー４３ａ，４３ｂの対向する自由端部は広幅の伸縮自在なゴムテープ４４で結ばれている。ゴムテープに代えて、ゴム紐を編み込んだり縫い付けたりしたギャザー状のシャーリングや、ゴム紐などを用いてもよい。この実施例の場合、取り付けるヒール部品の高さによって足の甲の角度が異なっても、ゴムテープ４４の伸縮力によって調節することができる。
【符号の説明】
【００５１】
１  靴
２  靴底
３，８  スロート部
４ａ  飾りカバー部材
４ｂ  カバー部材
１０  ジョイント部
１２，１２ａ  ロックピン
１３  ロックピンの一端部（つまみ部分）
１３ａ  ロックピンのテーパ状部
１５，１５ａ  ばね部材
１６，１６ａ，１６ｂ  ストッパ部材
２０  ヒール部品
２１，２１ａ  凹陥部
２２，２２ａ，２３  穴部
２４  スリット
３０  長さ調節用アジャスタ
３２ａ，３２ｂ  孔
３３  板ばね
３４  突起部
４０  ベロ
４１ａ，４１ｂ  羽根部
４３ａ，４３ｂ  サイドカバー
４４  ゴムテープ
【図１】
2015109921.tif 000003
【図２】
2015109921.tif 000004
【図３】
2015109921.tif 000005
【図４】
2015109921.tif 000006
【図５】
2015109921.tif 000007
【図６】
2015109921.tif 000008
【図７】
2015109921.tif 000009
【図８】
2015109921.tif 000010
【図９】
2015109921.tif 000011
【図１０】
2015109921.tif 000012
【図１１】
2015109921.tif 000013
【図１２】
2015109921.tif 000014
【図１３】
2015109921.tif 000015
【図１４】
2015109921.tif 000016
【図１５】
2015109921.tif 000017
【図１６】
2015109921.tif 000018
【図１７】
2015109921.tif 000019
【図１８】
2015109921.tif 000020
【図１９】
2015109921.tif 000021
【図２０】
2015109921.tif 000022
【手続補正書】
【提出日】平成26年10月17日(2014.10.17)
【手続補正１】
【補正対象書類名】特許請求の範囲
【補正対象項目名】全文
【補正方法】変更
【補正の内容】
【特許請求の範囲】
【請求項１】
靴の踵部分にヒール部品を脱着自在に装着できる靴（１）であって、
靴底（２）の踵部分には、ヒール部品（２０）を装着するための筒状のジョイント部（１０）が下方に突設されており、該ジョイント部（１０）には、靴底と略平行に移動可能で、且つジョイント部の少なくとも一方側から突出するように付勢された棒状掛止部材（１２，１２ａ）が設けられており、
前記ヒール部品（２０）は、その上部に前記ジョイント部（１０）を受け入れるための凹陥部（２１，２１ａ）を有し、且つ、前記棒状掛止部材（１２，１２ａ）が挿通される穴部（２２，２２ａ）が前記凹陥部から外側に開口している
ことを特徴とする靴。
【請求項２】
前記靴は、ヒール部品（２０）の高さに応じて、靴の甲を覆う部分の面積を調節することができる手段（４ａ，４ｂ，６，７，３０，４０，４１ａ，４１ｂ，４２，４３ａ，４３ｂ，４４）を有することを特徴とする請求項１に記載の靴。
【請求項３】
前記ジョイント部（１０）の棒状掛止部材は、ジョイント部の前後から突出するように配されていると共に、ジョイント部内に設けられた弾性部材（１５）によりつまみ部分（１３）を構成する一端部側から他端部側へ付勢されているロックピン（１２）であり、一方、前記ヒール部品（２０）の凹陥部（２１）の前後には、前記ロックピン（１２）の両端部がそれぞれ挿通される穴部（２２，２３）が形成されており、前記ロックピン（１２）の一端部が挿通される穴部（２２）の上にはスリット（２４）が形成されており、該スリット（２４）の幅は前記ロックピンの一端部の大きさよりも小さく、前記ロックピンの略中間部の大きさよりも若干大きく、且つ、前記ロックピン（１２）は、ロックピンの一端部を前方に引いた状態で、ロックピンの他端部がジョイント部の後から突出しないようにジョイント部内に引き込まれる長さを有すると共に、ジョイント部をヒール部品の凹陥部へ挿入する時あるいはジョイント部からヒール部品を外す時、ロックピンが前記スリットを挿通するように構成されていることを特徴とする請求項１又は２に記載の靴。
【請求項４】
前記ジョイント部（１０）の棒状掛止部材は、少なくともヒール部品（２０）の穴部（２２，２３）に接している部分が後側に向かって漸次小さくなるロックピン（１２）であり、一方、前記ヒール部品（２０）の凹陥部（２１）の前後には、前記ロックピン（１２）の両端部に対応して後側に向かって漸時小さくなるテーパー状に形成された前記ロックピン（１２）の両端部がそれぞれ挿通される穴部（２２，２３）が形成されており、前記弾性部材（１５）の付勢力により前記ロックピン（１２）の周側面がヒール部品（２０）の穴部（２２，２３）の内周面に圧接された状態のとき、ロックピン（１２）の他端部（１４）の端面とヒール部品（２０）の穴部（２３）の底面との間に隙間があるように構成されていることを特徴とする請求項３に記載の靴。
【請求項５】
前記ジョイント部（１０）の棒状掛止部材は、ジョイント部内に設けられた弾性部材（１５ａ）により前方へ付勢され、一端部（１３ａ）がジョイント部の前方へ突出するように配されたロックピン（１２ａ）であり、一方、前記ヒール部品（２０）の凹陥部（２１ａ）の前側には、前記ロックピンの一端部が挿入される穴部（２２ａ）が形成されており、前記ロックピンの一端部をジョイント部内に押し込んだ状態でジョイント部をヒール部品の凹陥部へ挿入できるように構成されていることを特徴とする請求項１又は２に記載の靴。
【請求項６】
前記ロックピン（１２ａ）の一端部（１３ａ）は前側に向かって漸次小さくなるテーパ状に形成され、一方、前記ロックピンの一端部が挿入される前記ヒール部品（２０）の凹陥部（２１ａ）の前側の穴部（２２ａ）は、前記ロックピンの一端部に対応して前側に向かって漸次小さくなるテーパ状に形成され、前記弾性部材（１５ａ）の付勢力によりロックピン（１２ａ）の一端部（１３ａ）のテーパ状周側面がヒール部品（２０）の穴部（２２ａ）のテーパ状内周面に圧接された状態のとき、ロックピン（１２ａ）の一端部（１３ａ）の端面がヒール部品（２０）の穴部（２２ａ）から突出しないように構成されていることを特徴とする請求項５に記載の靴。
【請求項７】
前記ジョイント部（１０）は、下方に向かって漸次小さくなる逆円錐台状の外形を有し、前記ヒール部品（２０）の凹陥部（２１，２１ａ）は、前記ジョイント部の外形と対応する逆円錐台状に形成されており、ジョイント部（１０）をヒール部品（２０）の凹陥部（２１，２１ａ）に嵌挿したときに、ジョイント部（１０）の底面と凹陥部（２１，２１ａ）の底面との間に隙間が生じるように構成されていることを特徴とする請求項１乃至６のいずれか一項に記載の靴。
【請求項８】
高さの異なるヒール部品の交換に対応できるように、靴底のアーチ部分から踵までその形状を保持できる十分な硬さを有し、他の部分は足の重さで撓んで足の形を保持できる硬さを有するか、又は、靴底のつま先部分が多少上向きに反っている形状を有するか、或いは、靴底のつま先部分とアーチ部分との境界領域が角度調節できる可撓性を有することを特徴とする請求項１乃至７のいずれか一項に記載の靴。
【請求項９】
前記靴の甲を覆う部分の面積を調節することができる手段として、靴の甲の履き口のスロート部（３，８）に、切り込み（６）又は折り重なりを設けるか、又は、切り込み（６）又は折り重なりを設けると共に、甲を覆う部分の面積を調節するための紐（７）又は長さ調節可能なアジャスタ（３０）を通すか、あるいは、靴のアッパー側部に一対の羽根部（４１ａ，４１ｂ）又はサイドカバー（４３ａ，４３ｂ）が設けられ、該羽根部又はサイドカバーの対向する自由端部は甲を覆う部分の面積を調節できるように紐（４２）又は伸縮自在なテープ部材（４４）で結ばれることを特徴とする請求項２乃至８のいずれか一項に記載の靴。
【手続補正２】
【補正対象書類名】明細書
【補正対象項目名】０００９
【補正方法】変更
【補正の内容】
【０００９】
好適な態様においては、前記ジョイント部の棒状掛止部材は、ジョイント部の前後から突出するように配されていると共に、ジョイント部内に設けられた弾性部材によりつまみ部分を構成する一端部側から他端部側へ付勢されているロックピンであり、一方、前記ヒール部品の凹陥部の前後には、前記ロックピンの両端部がそれぞれ挿通される穴部が形成されており、前記ロックピンの一端部が挿通される穴部の上にはスリットが形成されており、該スリットの幅は前記ロックピンの一端部の大きさよりも小さく、前記ロックピンの略中間部の大きさよりも若干大きく、且つ、前記ロックピンは、ロックピンの一端部を前方に引いた状態で、ロックピンの他端部がジョイント部の後から突出しないようにジョイント部内に引き込まれる長さを有すると共に、ジョイント部をヒール部品の凹陥部へ挿入する時あるいはジョイント部からヒール部品を外す時、ロックピンが前記スリットを挿通するように構成されている。より好ましくは、前記ジョイント部の棒状掛止部材は、少なくともヒール部品の穴部に接している部分が後側に向かって漸次小さくなるロックピンであり、一方、前記ヒール部品の凹陥部の前後には、前記ロックピンの両端部に対応して後側に向かって漸時小さくなるテーパー状に形成された前記ロックピンの両端部がそれぞれ挿通される穴部が形成されており、前記弾性部材の付勢力により前記ロックピンの周側面がヒール部品の穴部の内周面に圧接された状態のとき、ロックピンの他端部の端面とヒール部品の穴部の底面との間に隙間があるように構成されている。
尚、本明細書において、つま先側を前側又は前方、踵側を後側又は後方と表現する。
【手続補正３】
【補正対象書類名】明細書
【補正対象項目名】００１２
【補正方法】変更
【補正の内容】
【００１２】
さらに別の好適な態様においては、高さの異なるヒール部品の交換に対応できるように、靴底のアーチ部分から踵までその形状を保持できる十分な硬さを有し、他の部分は足の重さで撓んで足の形を保持できる硬さを有するか、又は、靴底のつま先部分が多少上向きに反っている形状を有するか、あるいは、靴底のつま先部分とアーチ部分（土踏まず部分）との境界部が角度調節できる可撓性を有する。好ましくは、高いヒールに対応するため、アーチ部分（土踏まず部分）が硬く、アーチ形状に固定された形態にあり、また、低いヒールにも対応できるように、靴底のつま先部分とアーチ部分（土踏まず部分）との境界部が角度調節できる可撓性を有する。
より好適な態様によれば、前記靴の甲を覆う部分の面積を調節することができる手段として、靴の甲の履き口のスロート部に、長さ調節をするための手段、例えば切り込み又は折り重なりを設けるか、又は、切り込み又は折り重なりを設けると共に、甲を覆う部分の面積を調節をするための紐又は長さ調節可能なアジャスタを通すか、あるいは、靴のアッパー側部に一対の羽根部又はサイドカバーが設けられ、該羽根部又はサイドカバーの対向する自由端部は甲を覆う部分の面積を調節できるように紐又は伸縮自在なテープ部材で結ばれる。
【手続補正４】
【補正対象書類名】明細書
【補正対象項目名】００２４
【補正方法】変更
【補正の内容】
【００２４】
ヒール部品の凹陥部へのジョイント部の挿入が浅いときには、ジョイント部外側面とヒール部品の凹陥部内側面の密着性は弱いが、ロックピンの弾性部材による付勢力でロックピンの細い端部がヒール部品の凹陥部の穴に押し込まれ、靴を履いた時の足の重さによる上面からの圧力と相俟って、より密着性の高い位置に自然に固定される。より密着性を高めるため、第一の態様の場合にはロックピンのつまみ部分を引いたりせず、第二の態様の場合にはロックピンの一端部を押し込んだりしていないときでも、ロックピンの弾性部材の付勢力によりジョイント部に圧が加わっている状態にあるように構成することが好ましい。また、ロックピンの細い端部の太さと、これが収容されるヒール部品の穴の径を、ジョイント時、ジョイント部外側面とそれを収容するヒール部品の凹陥部の密着性の高まった位置にあるときでも、従ってその際にロックピン周側面とそれを収容するヒール部品の穴の密着性の高まった位置にあるときでも、弾性部材の付勢力によりロックピンの細い端部をヒール部品の穴に押し込む方向の圧がかかっている状態が維持できるようなサイズにすることが好ましい。
【手続補正５】
【補正対象書類名】明細書
【補正対象項目名】００２５
【補正方法】変更
【補正の内容】
【００２５】
第一の態様の場合には、ロックピンのつまみ部分を引き、ロックピンの他端部がジョイント部内部へ引き込まれた状態では、ジョイント時にロックピンのつまみ部分近傍の一端部を収容しているヒール部品の穴に位置するロックピンの太さと、この部分を収容する穴の大きさに差違があることで、ロックピンと穴との間に僅かな隙間ができるので、この隙間を利用して、ヒール部品を少しずつ横へ回動させながら外す方法もとれる。先に説明したように、ジョイント部とそれを収容するヒール部品の凹陥部が角錐台状の場合には、ヒール部品を回動しながら外す方法ができない。密着度が高いほどジョイント部とヒール部品の結合は外し難くなる。
【手続補正６】
【補正対象書類名】明細書
【補正対象項目名】００４６
【補正方法】変更
【補正の内容】
【００４６】
図１３は、本発明の靴の甲を覆う部分の面積を調節できる他の実施例を、飾りカバー部材を外した状態で示している。
この実施例の場合、スロート部３に紐７が通されている点で前記図１１及び図１２に示す実施例とは異なるが、他の構成は同じである。紐７の一端部は、靴１に固定されている。この実施例においては、紐７を締め付けることによって、甲の履き口の長さをさらに短く調節できる。尚、締め付けた紐７の余っている他端部は、見た目が悪いため、飾りカバー部材で覆い隠したり、クリップで留めたり、ボンボンやリボンなどで留めることができる。
【手続補正書】
【提出日】平成27年3月5日(2015.3.5)
【手続補正１】
【補正対象書類名】特許請求の範囲
【補正対象項目名】請求項１
【補正方法】変更
【補正の内容】
【請求項１】
靴の踵部分にヒール部品を脱着自在に装着できる靴（１）であって、
靴底（２）の踵部分には、ヒール部品（２０）を装着するための筒状のジョイント部（１０）が下方に突設されており、該ジョイント部（１０）には、靴底と略平行に移動可能で、且つジョイント部の少なくとも一方側から突出するように付勢された棒状掛止部材（１２，１２ａ）が設けられており、
前記ヒール部品（２０）は、その上部に前記ジョイント部（１０）を受け入れるための凹陥部（２１，２１ａ）を有し、且つ、該凹陥部の側部に前記棒状掛止部材（１２，１２ａ）が挿通される少なくとも１つの穴部（２２，２２ａ，２３）が形成され、そのうちの１つの穴部（２２，２２ａ）は前記凹陥部から外側に開口しており、
前記棒状掛止部材（１２，１２ａ）が前記付勢力により前記穴部（２２，２２ａ，２３）に挿入されることにより前記ジョイント部（１０）とヒール部品（２０）が固定された状態となる
ことを特徴とする靴。
【手続補正２】
【補正対象書類名】明細書
【補正対象項目名】０００８
【補正方法】変更
【補正の内容】
【０００８】
前記目的を達成するために、本発明によれば、
靴の踵部分にヒール部品を脱着自在に装着できる靴であって、
靴底の踵部分には、ヒール部品を装着するための筒状のジョイント部が下方に突設されており、該ジョイント部には、靴底と略平行に移動可能で、且つジョイント部の少なくとも一方側から突出するように付勢された棒状掛止部材が設けられており、
前記ヒール部品は、その上部に前記ジョイント部を受け入れるための凹陥部を有し、且つ、該凹陥部の側部に前記棒状掛止部材が挿通される少なくとも１つの穴部が形成され、そのうちの１つの穴部は前記凹陥部から外側に開口しており、
前記棒状掛止部材が前記付勢力により前記穴部に挿入されることにより前記ジョイント部とヒール部品が固定された状態となる
ことを特徴とする靴が提供される。
前記靴は、好ましくはさらに、ヒール部品の高さに応じて、靴の甲を覆う部分の面積を調節することができる手段を有する。